(57)【特許請求の範囲】
【請求項１】
ソイル柱列連続山留壁による地下外壁の内側にこれに接して建物躯体の地下壁を施工する場合において、地下外壁で芯材としての型鋼が露出した壁面で型鋼に型枠用のセパレータを取付け、このセパレータが貫くようにして合成樹脂フィルムの両面に合成樹脂繊維を植毛した止水シートを敷設し、該シートのセパレータ貫通部は変性シリコン等の弾性接着剤で止封して防水層を形成したことを特徴とした地下外壁の防水構造。
【請求項２】
合成樹脂フィルムはポリエチレンフィルムであり、植毛する合成樹脂繊維はポリプロピレンである請求項１記載の地下外壁の防水構造。
【請求項３】
止水シートは、地下外壁面にモルタルやセメントペーストで接着する請求項１または請求項２記載の地下外壁の防水構造。
【請求項４】
止水シート相互の重畳部分も変性シリコン等の弾性接着剤で止封する請求項１ないし請求項３のいずれかに記載の地下外壁の防水構造。
【発明の詳細な説明】
【０００１】
【発明の属する技術分野】
本発明は、ソイル柱列連続山留壁による地下外壁の防水構造に関するものである。
【０００２】
【従来の技術】
ソイル柱列連続山留壁による地下外壁に接して鉄筋コンクリート建物躯体の地下壁を施工する場合には、止水構造として地下外壁と建物躯体の地下壁との間に防水層を形成することがある。
【０００３】
従来、この防水層は鉄筋コンクリート建物躯体の地下壁を施工する際のコンクリート打ち込みと同時に形成するものとして、ブチルゴムシートを山留壁に張設してなる。
【０００４】
【発明が解決しようとする課題】
しかし、ブチルゴムシートはそれ自体に比較的重量があるもので、地下階の階高が高いと山留壁にこのブチルゴムシートを固定することが困難であり、また、施工が出来たとしてもシートだれ等による漏水の発生のおそれがある。
【０００５】
また、ブチルゴムシートの材料であるブチルゴムは天然ゴムを主成分としているので、施工後に地下水の汚染があり、硫化水素等の成分が含まれる場合にはこれに触れて劣化して止水性を損なうおそれもある。
【０００６】
本発明の目的は前記従来例の不都合を解消し、施工性がよく、止水性の確保および維持も良好な地下外壁の防水構造を提供することにある。
【０００７】
【課題を解決するための手段】
本発明は前記目的を達成するため、第１に、ソイル柱列連続山留壁による地下外壁の内側にこれに接して建物躯体の地下壁を施工する場合において、地下外壁で芯材としての型鋼が露出した壁面で型鋼に型枠用のセパレータを取付け、このセパレータが貫くようにして合成樹脂フィルムの両面に合成樹脂繊維を植毛した止水シートを敷設し、該シートのセパレータ貫通部は変性シリコン等の弾性接着剤で止封して防水層を形成したこと、第２に、合成樹脂フィルムはポリエチレンフィルムであり、植毛する合成樹脂繊維はポリプロピレンであること、第３に、止水シートは地下外壁面にセメントペーストで接着すること、第４に、止水シート相互の重畳部分も変性シリコン等の弾性接着剤で止封することを要旨とするものである。
【０００８】
請求項１記載の本発明によれば、合成樹脂フィルムの両面に合成樹脂毛を植毛した止水シートは重量が軽く、しかも植毛した合成樹脂繊維によりコンクリートとの密着性が良く、ソイル柱列連続山留壁のソイル面が土の挙動により動いても植毛部のアンカーの伸びにより対応可能で、かつ、コンクリートのひび割れに対しても追従性が発揮でき、また、合成樹脂を主体とするので天然ゴム成分とは異なり、酸やアルカリに強い耐候性に富むものとなる。
【０００９】
請求項２記載の本発明によれば、止水シートとしてコストおよび性能面で最適な材料を選択したものである。
【００１０】
請求項３記載の本発明によれば、止水シートは軽量なので地下外壁面にモルタルやセメントペーストで接着することが可能となり、接着することで確実に敷設できる。
【００１１】
請求項４記載の本発明によれば、止水シート相互の重畳部分も変性シリコン等の弾性接着剤で止封することで、止水シート相互の一体性を確保し、全体の止水性を簡単に向上させることができる。
【００１２】
【発明の実施の形態】
以下、本発明の実施の形態を詳細に説明する。図１は本発明の地下外壁の防水構造の１実施形態を示す縦断側面図、図２は同上斜視図で、図中１はソイル柱列連続山留壁による地下外壁である。
【００１３】
この地下外壁１は図３に示すように多軸のオーガによる原位置土混合工法により施工したもので、原地盤を１エレメント単位の壁体状に削孔する際、多軸のオーガの混練軸先端よりセメント、ベントナイト等の目的に対応した混合液を吐出させて、土中において原位置土と混合して、１エレメントのソイルセメント壁体を造成する。
【００１４】
このように造成されたソイルセメント壁の各エレメントをラップさせて一体に連結した壁体を形成する。図中２は芯材としてのＨ型鋼であり、柱列のソイルセメント硬化前に挿入配設する。
【００１５】
壁体完成後は建物施工エリア側の根切りとともにＨ型鋼２のフランジ２ａが露出するまで地下外壁１の面を平坦に切削した。図１中、12はマットスラブコンクリート、13は捨コン、14は釜場までの導水を示す。
【００１６】
このようにして地下外壁１の壁面でＨ型鋼２のフランジ２ａの面に型枠用のセパレータ３を取付ける。
【００１７】
そして、このセパレータ３が貫くようにして合成樹脂フィルムの両面に合成樹繊維を植毛した止水シート４を敷設して防水層とした。この止水シート４は本実施形態では捨コン13とマットスラブコンクリート12の間にも延設している。
【００１８】
図４にこの止水シート４を示すが、止水シート４を構成する合成樹脂フィルムとしては塩化ビニルフィルム、ポリ塩化ビニリデン樹脂フィルムでもよいがポリオレフィン系のポリエチレンフィルム５、ポリプロピレンフィルムが有用である。
【００１９】
また、植毛する合成樹脂毛繊維はポリオレフィン系のポリプロピレン６、ポリエチレンが好適であるが、ナイロン（６）、ナイロン（１１）、ナイロン（１２）、ナイロン（６６）、ナイロン（６１０）及びそれらを主成分とするポリアミド、ポリエチレンテレフタレート、ポリブチレンテレフタレート、ポリエチレンオキシベンゾエート、ポリ１−４ジメチルシクロヘキサンテレフタレート、ポルピバロラクトン及びそれらを主成分とするポリエステル等のポリマーでも繊錐形成性ポリマーであれば本発明に通用できる。
【００２０】
植毛する合成樹脂毛は繊維を適度の長さに切断して植毛用のパイル（短繊維）を調整し、合成樹脂フィルムに植毛されるが、パイルの長さは通常０．３〜３．０ｍｍ（好ましくは０．５〜１．５ｍｍ）である。
【００２１】
ポリエチレンフィルム５にポリプロピレン６のパイルを接着するための接着剤は処理剤等に安定で且つ繊維を強力に接着し得る公知の接着剤である。かかる接着剤としては、高温加熱により硬化（架橋化、網状化）して、熱水、有機溶剤、薬品等に不溶性となる熱硬化型接着剤が好ましい。例えば、メラミン−ホルムアルデヒド初期縮合物、尿素−ホルムアルデヒド初期縮合物等の水溶性の熱硬化性樹脂とアクリルアミド、メチロールアクリルアミド、メチレンビスアクリルアミド、グリシジルアクリレート、グリシジルメタアクリレート等の官能性ビニルモノマーとアクリル酸アルキルエステル、メタクリル酸アルキルエステル、２−ヒドロキシアルキルアクリレート等のアクリル酸エステルまたはメタクリル酸エステルとアクリル酸またはメタクリル酸とからなる共重合体との混合組成物を挙げることが出来る。その他に、メチロール化ポリアミド、イソシアネート基を有するポリウレタン等も使用することができるが、前記のものに限定されない。接着剤は溶液やエマルジョンの形で使用される。
【００２２】
植毛加工は基布に接着剤を均一な薄膜状に塗布した後、静電気植毛機等の植毛機を用いて、繊錐のパイルを植毛することによって行なわれ、その後加熱乾燥して接着剤を硬化すると、本発明に使用する植毛品による止水シート４が得られる。
【００２３】
止水シート４はセパレータ貫通部は予め穴４ａを開けておき、この穴４ａを介してセパレータ３を貫通させ、また、前記地下外壁１の壁面には予めモルタルやセメントペースト７を塗布しておき、このモルタルやセメントペースト７を接着材として止水シート４を壁面に接着させる。
【００２４】
また、止水シート４の前記穴４ａの部分および図５に示すように端部には変性シリコン８等の弾性接着剤を配設してこれで止水シート４とセパレータ３、および止水シート４の端部重畳部部分の止封を行う。
【００２５】
前記弾性接着剤としては、長期にわたりゴム状弾性（可撓性）を保持し、耐久性に優れるものとして、変性シリコン８系の接着剤の他、ポリサルファイド変性エポキシ樹脂系接着剤、ポリウレタン樹脂系接着剤、シリコンゴム系接着剤が使用可能である。
【００２６】
なお、この変性シリコン８等の弾性接着剤は止水シート４に張力が生じた場合に該弾性接着剤の部分で弾性による追随性を発揮できる。
【００２７】
このようにして止水シート４を配設後、配筋し、セパレータ３を使用してコンクリート型枠11を組み、コンクリートを打設して建物躯体９の地下壁10を施工する。
【００２８】
【発明の効果】
以上述べたように本発明の地下外壁の防水構造は、軽量な止水シートで防水層を形成するので、施工性がよく、止水性の確保および維持も良好なものであり、完全な地下外壁防水が形成できるため、漏水がなくなり、また、二重壁が必要なくなるため、地下の面積が広く使用できるものである。
【図面の簡単な説明】
【図１】本発明の地下外壁の防水構造の１実施形態を示す縦断側面図である。
【図２】本発明の地下外壁の防水構造の１実施形態を示す斜視図である。
【図３】ソイル柱列連続山留壁による地下外壁の施工の説明図である。
【図４】本発明で使用する止水シートの斜視図である。
【図５】止水シートの端部の接合を示す横断平面図である。
【符号の説明】
１…地下外壁                      ２…Ｈ型鋼
２ａ…フランジ                    ３…セパレータ
４…止水シート                    ４ａ…穴
５…ポリエチレンフィルム
６…ポリプロピレン                ７…セメントペースト
８…変性シリコン                  ９…建物躯体
10…地下壁                        11…コンクリート型枠
12…マットスラブコンクリート      13…捨コン
14…釜場までの導水
【図１】
0003642997.tif 000002
【図２】
0003642997.tif 000003
【図３】
0003642997.tif 000004
【図４】
0003642997.tif 000005
【図５】
0003642997.tif 000006